(57)【要約】【課題】ユーザによるチャプター再生の利便性を高める。【解決手段】クライアント装置に、コンテンツの再生位置が異なる配信データをチャプター番号をもとに選択させるリストを送信するリスト送信部と、前記クライアント装置に配信している前記コンテンツの現在の配信時間を記録する配信時間記録部と、前記クライアント装置に配信している前記コンテンツの現在の配信時間が、前記チャプター番号に対応する配信データの再生位置と比べて後の場合、前記チャプター番号の選択により配信される前記配信データの配信時間を、前記現在の配信時間と比べて後の時間であって、前記現在の配信時間に近い再生位置の配信データに変更するリスト更新部と、選択された前記チャプター番号に対応する前記配信データを前記ネットワークを通じて前記クライアント装置に送信する送信部と、を有する。【選択図】図２
2015118722.tif 000002
【特許請求の範囲】
【請求項１】
クライアント装置に対してネットワークを通じてコンテンツを配信するホスト装置であって、
前記クライアント装置に、コンテンツの再生位置が異なる配信データをチャプター番号をもとに選択させるリストを送信するリスト送信部と、
前記クライアント装置に配信している前記コンテンツの現在の配信時間を記録する配信時間記録部と、
前記コンテンツの現在の配信時間が、前記チャプター番号に対応する配信データの再生位置と比べて後の時間であれば、前記チャプター番号の選択により配信される前記配信データの配信時間を、前記現在の配信時間と比べて後の時間であって、前記現在の配信時間に近い再生位置の配信データに変更するリスト更新部と、
選択された前記チャプター番号に対応する前記配信データを前記ネットワークを通じて前記クライアント装置に送信する送信部と、を有することを特徴とするホスト装置。
【請求項２】
前記コンテンツの再生位置が異なる複数の前記配信データを記録する記録部を有し、
前記リスト更新部は、前記チャプター番号と記録された前記配信データとの対応関係を変更する、ことを特徴とする請求項１に記載のホスト装置。
【請求項３】
前記クライアント装置は、ＨＴＴＰ規格のゲット要求により前記ホスト装置に前記配信データを要求する、ことを特徴とする請求項１または請求項２のいずれかに記載のホスト装置。
【請求項４】
前記ゲット要求は、コマンド内に要求する前記配信データのアドレスが指定されている、ことを特徴とする請求項３に記載のホスト装置。
【請求項５】
クライアント装置とホスト装置との間でネットワークを通じてコンテンツを配信するコンテンツ配信方法であって、
ホスト装置が、前記クライアント装置に、コンテンツの再生位置が異なる配信データをチャプター番号をもとに選択させるリストを送信するリスト送信ステップと、
前記クライアント装置に配信している前記コンテンツの現在の配信時間を記録する配信時間記録ステップと、
前記コンテンツの現在の配信時間が、前記チャプター番号に対応する配信データの再生位置と比べて後の時間であれば、前記チャプター番号の選択により配信される前記配信データの配信時間を、前記現在の配信時間と比べて後の時間であって、前記現在の配信時間に近い再生位置の配信データに変更するリスト更新ステップと、
ホスト装置が、選択された前記チャプター番号に対応する前記配信データを前記ネットワークを通じて前記クライアント装置に送信する送信ステップと、を有することを特徴とするコンテンツ配信方法。
【請求項６】
クライアント装置とホスト装置とをネットワークで接続したシステムであって、
前記ホスト装置は、
前記クライアント装置に、コンテンツの再生位置が異なる配信データをチャプター番号をもとに選択させるリストを送信するリスト送信部と、
前記クライアント装置に配信している前記コンテンツの現在の配信時間を記録する配信時間記録部と、
前記コンテンツの現在の配信時間が、前記チャプター番号に対応する配信データの再生位置と比べて後の場合、前記チャプター番号の選択により配信される前記配信データの配信時間を、前記現在の配信時間と比べて後の時間であって、前記現在の配信時間に近い再生位置の配信データに変更するリスト更新部と、
選択された前記チャプター番号に対応する前記配信データを前記ネットワークを通じて前記クライアント装置に送信する送信部と、を有することを特徴とするシステム。
【発明の詳細な説明】
【技術分野】
【０００１】
本発明は、ネットワークを経由してクライアント装置にコンテンツを配信するコンテンツの配信方法に関する。
【背景技術】
【０００２】
再生対象のコンテンツの再生位置を変化させるチャプター再生が知られている。ユーザは、リモコン装置等を操作して、再生するチャプターを選択することで、選択されたチャプターに対応する再生位置からコンテンツを再生することができる。
【０００３】
また、ネットワークを介してホスト装置とクライアント装置とを接続し、クライアント装置からの要求に応じてコンテンツを配信させるシステムが知られている（たとえば、特許文献１参照）。
【先行技術文献】
【特許文献】
【０００４】
【特許文献１】特開２００７−３２３７５０号公報
【発明の概要】
【発明が解決しようとする課題】
【０００５】
ホスト装置からクライアント装置へコンテンツの配信を行うシステムでは、チャプター再生について対策が行われていなかった。
【０００６】
本発明は、上記課題にかんがみてなされたもので、ユーザによるチャプター再生の利便性を高めることができるホスト装置、システム、コンテンツ配信方法を目的とする。
【課題を解決するための手段】
【０００７】
上記課題を解決するために、本発明の一態様では、クライアント装置に対してネットワークを通じてコンテンツを配信するホスト装置であって、前記クライアント装置に、コンテンツの再生位置が異なる配信データをチャプター番号をもとに選択させるリストを送信するリスト送信部と、前記クライアント装置に配信している前記コンテンツの現在の配信時間を記録する配信時間記録部と、前記コンテンツの現在の配信時間が、前記チャプター番号に対応する配信データの再生位置と比べて後の時間であれば、前記チャプター番号の選択により配信される前記配信データの配信時間を、前記現在の配信時間と比べて後の時間であって、前記現在の配信時間に近い再生位置の配信データに変更するリスト更新部と、選択された前記チャプター番号に対応する前記配信データを前記ネットワークを通じて前記クライアント装置に送信する送信部と、を有する。
【０００８】
上記のように構成された発明では、コンテンツの現在の配信時間に応じて、チャプター番号に対応する配信データの再生位置が変更される。そのため、ユーザはチャプターの切り替えをコンテンツの現在の配信時間に応じてより効果的に利用することができる。そのため、ユーザのチャプター再生の利便性を高めることができる。
【０００９】
また、本発明の一態様では、前記コンテンツの再生位置が異なる複数の前記配信データを記録する記録部を有し、前記リスト更新部は、前記チャプター番号と記録された前記配信データとの対応関係を変更する。
上記のように構成された発明では、記録部に記録された配信データをもとに、チャプター番号に対応づける配信データを選択でき、処理を低減することができる。
【００１０】
そして、本発明の一態様では、前記クライアント装置は、ＨＴＴＰ規格のゲット要求により前記ホスト装置に前記配信データを要求する。
上記のように構成された発明では、ＨＴＴＰ規格のプロトコルを流用して本発明を実現することができる。
【００１１】
さらに、本発明の一態様では、前記ゲット要求は、コマンド内に要求する前記配信データのアドレスが指定されている。
上記のように構成された発明では、クライアント装置からの要求をより柔軟に設定することができ、ユーザの操作性を向上することができる。
【００１２】
また、本発明は、ホスト装置としてのみならず、このホスト装置を一部に備えるシステムとしても捉えることができる。
そして、本発明の特徴を備えるコンテンツ配信方法の発明としても捉えることができる。
【図面の簡単な説明】
【００１３】
【図１】システム１００の構成を示す図。
【図２】システム１００の機能を説明する機能ブロック図。
【図３】チャプター番号と配信データとの関係を説明する図。
【図４】配信サーバ１０のハードウェア構成を示すブロック構成図。
【図５】表示装置３０のハードウェア構成を示す図。
【図６】表示装置３０に表示されるリスト画像２１０を示す図。
【図７】リスト更新部１３により実行される処理を説明するフローチャート。
【図８】リスト更新部１３により更新されるリスト画像を説明する図。
【図９】図７のステップＳ５において実行される処理を示すフローチャート。
【図１０】ＣＰＵ１７が配信データＳＤの再生位置を参照する手法を説明する図。
【発明を実施するための形態】
【００１４】
以下、下記の順序に従って本発明の実施形態を説明する。
１．第１の実施形態：
（１）システム１００の構成
（２）リスト画像について
（３）リスト画像の更新について
２．第２の実施形態：
３．第３の実施形態：
４．その他の実施形態：
【００１５】
１．第１の実施形態：
（１）システム１００の構成
図１は、システム１００の構成を示す図である。また、図２は、システム１００の機能を説明する機能ブロック図である。
システム１００は、ホスト装置としての配信サーバ１０と、クライアント装置としての表示装置３０とを有する。また、配信サーバ１０と表示装置３０とは、ネットワークＮＥに接続されている。このシステム１００では、配信サーバ１０から表示装置３０へ、ネットワークＮＥを通じて動画像などのコンテンツが配信される。なお、システム１００は、表示装置３０以外にも、他の装置がネットワークＮＥに接続されていてもよい。
【００１６】
図２に示すように、配信サーバ１０は、配信制御部１１と、リスト送信部１２と、リスト更新部１３と、配信時間記録部１４と、送信部１５と、を有する。また、表示装置３０は、リスト表示部３１と、コンテンツ再生部３２と、チャプター変化要求部３３と、を有する。
【００１７】
配信サーバ１０のリスト送信部１２は、表示装置３０にチャプターを選択させるためのリスト画像（チャプターリスト）２１０を送信する。このリスト画像２１０には、ユーザにチャプターを選択させるためのチャプター番号（ＣＨ０１、ＣＨ０２…）が表示される（図１）。なお、配信サーバ１０が表示装置３０にリスト画像２１０を送信するタイミングは、コンテンツの配信とともに行うものであってもよい。
【００１８】
配信制御部１１は、コンテンツデータの配信を制御する。また、配信時間記録部１４は、配信制御部１１の制御のもとネットワークＮＥを通じて配信されるコンテンツの現在の配信時間を記録している。
【００１９】
そして、リスト更新部１３は、配信時間記録部１４に記録されたコンテンツの現在の配信時間が、チャプター番号に対応する配信データの再生位置と比べて後の場合、チャプター番号の選択により配信される配信データの配信時間を、現在の配信時間と比べて後の時間であって、現在の配信時間に近い再生位置の配信データに変更する。即ち、表示装置３０に配信されるコンテンツの配信時間の経過に従い、表示装置３０に表示されるチャプター番号と配信データとの対応関係が更新されていく。
【００２０】
図３は、チャプター番号と配信データとの関係を説明する図である。図３では、縦軸にチャプター番号ＣＨ０１〜ＣＨ０１０が昇順に表示されている。また、チャプター番号ＣＨ０１〜１０に対応する配信データＳＤ１〜ＳＤ１０をチャプター番号ＣＨ０１〜１０に隣接させて並べている。そして、横軸は、各配信データＳＤ１〜ＳＤ１０の総再生時間（配信時間）を表している。図３（ａ）は、更新が行われる前のチャプター番号と配信データＳＤの関係を示している。また、図３（ｂ）は、更新後のチャプター番号と配信データＳＤの関係を示している。
【００２１】
図３（ａ）に示すように、リスト画像２１０の更新前では、チャプター番号ＣＨ０１には、コンテンツの先頭（０：００）を再生位置とする配信データＳＤ１が対応づけられている。即ち、ユーザがリスト画像２１０でチャプター番号ＣＨ０１を選択することで、表示装置３０はコンテンツを先頭から再生する。また、チャプター番号ＣＨ０２には、コンテンツの再生位置が先頭から１０分後（０：１０）の配信データＳＤ２が対応づけられている。
【００２２】
配信時間の経過とともに、リスト画像２１０の更新が行われた場合を説明する。たとえば、配信時間が４５分を経過した場合、リスト更新部１３により更新されたリスト画像は図３（ｂ）のようになる。図３（ｂ）に示すリスト画像２１０では、チャプター番号ＣＨ０３には配信データＳＤ６が対応している。そのため、ユーザがチャプター番号ＣＨ０３を選択すると、表示装置３０はコンテンツの再生位置を１：００から再生する。
【００２３】
表示装置３０のリスト表示部３１は、上記したチャプター番号と配信データＳＤとの対応関係にあるリスト画像２１０を表示する。そして、チャプター変化要求部３３は、配信サーバ１０に対して、チャプタージャンプ要求を行い、変更後のチャプターに対応する配信データＳＤを配信させる。コンテンツ再生部３２は、配信データＳＤを受信すると、この配信データＳＤを再生する。そのため、表示装置３０には、再生位置が変化したコンテンツ（チャプター）が再生される。
【００２４】
図４は、配信サーバ１０のハードウェア構成を示すブロック構成図である。
配信サーバ１０は、ネットワーク通信部１６、ＣＰＵ１７、ＲＡＭ１８、ＲＯＭ１９、ＨＤＤ（Hard Disk Drive）２０、バス２１とを有する。各部は、バス２１を通じて接続されており、互いに通信を行うことができる。また、配信サーバ１０と表示装置３０とは、ＤＬＮＡ（Digital Living Network Alliance）ガイドラインに沿った標準プロトコルに応じて、通信を行うことができる。
【００２５】
ネットワーク通信部１６は、バス２１を通じてＨＤＤ２０から送信された配信データＳＤを、ネットワークＮＥに出力することができる。また、ネットワーク通信部１６は、ネットワークＮＥを通じて表示装置３０からの要求を受信すると、バス２１を通じてこの要求をＣＰＵ１７に送信することができる。また、本実施形態では、ネットワーク通信部１６が配信データＳＤやリスト画像２１０を出力する送信部１５として機能する。
【００２６】
ＲＯＭ１９には、ＣＰＵ１７が表示装置３０に対して配信データＳＤを配信する際の処理を実行するプログラムが記録されている。ＣＰＵ１７は、このプログラムをＲＡＭ１８に展開して実行することで、図２に示す、配信制御部１１と、リスト送信部１２と、リスト更新部１３と、配信時間記録部１４と、を実現する。
【００２７】
ＨＤＤ２０は、バス２１を通じてＣＰＵ１７やネットワーク通信部１６に接続されている。ＨＤＤ２０には、配信データＳＤ１〜ＳＤ１０や、リスト画像データ２００、参照テーブル３００が、記録されている。
リスト画像データ２００は、コンテンツに付随する情報を表示装置３０に提供するデータである。そのため、表示装置３０のリスト表示部３１がリスト画像データ２００をもとにリスト画像２１０を表示する。
【００２８】
図５は、表示装置３０のハードウェア構成を示す図である。表示装置３０は、ネットワーク通信部３４と、ＣＰＵ３５、ＲＡＭ３６、ＲＯＭ３７、ディスプレイモジュール３８、受信部３９、バス４０と、リモコン装置４１と、を備える。
【００２９】
ネットワーク通信部３４は、バス４０を通じてＣＰＵ３５に接続しており、ＣＰＵ３５からの要求をネットワークＮＥを通じて配信サーバ１０に送信することができる。また、ネットワーク通信部３４は、配信サーバ１０から配信される配信データＳＤ１〜ＳＤ１０をネットワークＮＥを通じて受信することができる。
【００３０】
ＣＰＵ３５は、リモコン装置４１から送信された命令を受信部３９を通じて受信し、表示装置３０の駆動を制御する。また、ＣＰＵ３５は、ＲＯＭ３７に記録された図示しないプログラムをＲＡＭ３６上で実行することで、ネットワークＮＥを通じて受信するコンテンツやデータを表示させるブラウザとしても機能する。また、ＣＰＵ３５はブラウザの機能により、ディスプレイモジュール３８にリスト画像２１０を表示させるリスト表示部３１と、ディスプレイモジュール３８にチャプターを含めたコンテンツを再生させるコンテンツ再生部３２と、ネットワーク通信部３４を介して、配信サーバ１０にチャプタージャンプ要求を行うチャプター変化要求部３３を実現する。
【００３１】
この第１の実施形態では、ＣＰＵ３５がチャプター変化要求部３３として機能する場合、ＣＰＵ３５は配信サーバ１０に対してＨＴＴＰ（Hyper Text Transfer Protocol）規格のゲット要求を発行する。このゲット要求の構成は、メソッド、リクエストＵＲＩを含んでいる。メソッドには、配信サーバ１０に要求するチャプター番号を示すアドレスが記録されている。即ち、リスト画像２１０に表示されるチャプター番号の選択に応じて送信されるゲット要求により配信サーバ１０に対してチャプター番号が指定される。
【００３２】
ディスプレイモジュール３８は、バス４０を介して、ＣＰＵ３５やネットワーク通信部３４に接続されている。ディスプレイモジュール３８は、図示しないドライバ回路と、表示ディスプレイとを備える。ドライバ回路は、ネットワーク通信部３４を介して受信された配信データＳＤをもとにコンテンツを再生する。また、ネットワーク通信部３４を介して配信データＳＤを受信した場合、この配信データＳＤをアナログ信号である駆動信号に変換する。表示ディスプレイは、たとえば、液晶表示ディスプレイであり、解像度に応じた数の画素を縦横に配列している。そして、表示ディスプレイは、ドライバ回路から出力された駆動信号をもとに画素を駆動し、コンテンツを再生する。
【００３３】
（２）リスト画像について
次に、配信サーバ１０から表示装置３０に配信されるリスト画像２１０について説明する。図６は、表示装置３０に表示されるリスト画像２１０を示す図である。
【００３４】
図６に示すように、リスト画像２１０には、配信サーバ１０にコンテンツに付随する情報を要求するためのファイル状のアイコンが表示されている。各アイコンは、指定される情報の関係性に応じてツリー形式で表示される。そのため、リスト画像２１０に表示されるコンテンツの情報には、チャプター番号ＣＨ０１、ＣＨ０２…が付されたファイル状のアイコン２１１、２１２、２１３がツリー状に関連づけられている。ユーザが表示装置３０を操作して、アイコンのいずれかを選択することで、表示装置３０は配信サーバ１０にチャプター番号を指定する。
【００３５】
（３）リスト画像の更新について
図７は、リスト更新部１３により実行される処理を説明するフローチャートである。また、図８、リスト更新部１３により更新されるリスト画像を説明する図である。図８（ａ）は、コンテンツが配信されてから１０分以内のリスト画像２１０を示す。また、図８（ｂ）は、コンテンツが配信されてから１０分経過後のリスト画像２１０を示す。
【００３６】
ステップＳ１では、配信サーバ１０のＣＰＵ１７は、リスト画像データ２００をネットワーク通信部１６を介して表示装置３０に送信する。このステップＳ１において送信されるリスト画像データ２００は、図８（ａ）に示すように、デフォルトのチャプター数（１０個）により構成されている。
【００３７】
次に、表示装置３０からコンテンツの配信要求を受信すると（ステップＳ２：ＹＥＳ）、ステップＳ３では、配信サーバ１０のＣＰＵ１７は、コンテンツの配信を開始する。即ち、ＣＰＵ１７は、コンテンツの開始を配信位置とする配信データＳＤ１をネットワーク通信部１６を介して表示装置３０に送信する。
【００３８】
以下、コンテンツ（配信データＳＤ１）の配信時間が配信データＳＤ２の再生位置と比べて前であれば、表示装置３０が表示するリスト画像２１０には図８（ａ）に示す、チャプター番号と配信データＳＤとの対応関係となる。即ち、チャプター番号の昇順に配信データＳＤが順に対応付けられている。そのため、ユーザがアイコンを選択し、チャプター番号ＣＨ０１を配信サーバ１０に指定すると、コンテンツは配信データＳＤ１の再生位置（即ち、コンテンツの開始位置に戻る）から再生される。また、ユーザがアイコンを選択し、チャプターＣＨ０２を配信サーバ１０に指定すると、コンテンツの再生位置は、配信データＳＤ２により規定された再生位置となる。
【００３９】
次に、コンテンツの現在の配信時間が次の配信データＳＤの配信位置に達すると（ステップＳ４：ＹＥＳ）、ステップＳ５では、ＣＰＵ１７は、リスト画像２１０の対応関係を更新する。図９は、図７のステップＳ５において実行される処理を示すフローチャートである。
【００４０】
図９のステップＳ５１では、ＣＰＵ１７は、コンテンツの現在の配信時間を参照する。
【００４１】
ステップＳ５２では、ＣＰＵ１７は、各配信データＳＤの再生位置を参照する。
一例として、ＣＰＵ１７は、参照テーブル３００をもとに配信データＳＤの再生位置を判断する。参照テーブル３００には、配信データＳＤのＩＤと、各配信データＳＤの再生位置（コンテンツの再生開始からの時刻）と、各配信データＳＤが記録されるＨＤＤ２０のアドレスとが関連づけて記録されている。
【００４２】
ステップＳ５３では、ＣＰＵ１７は、ステップＳ５１で参照した配信時間と、各配信データの再生位置とを比較する。そのため、ＣＰＵ１７は、参照テーブル３００から、ステップＳ５１で参照した配信時間と比べて前の時間が再生位置となる配信データＳＤを検索する。
【００４３】
そして、再生位置が配信時間に達している配信データＳＤが存在すれば（ステップＳ５４：ＹＥＳ）、ステップＳ５５では、ＣＰＵ１７は、比較結果に応じて、チャプター番号に対応づける配信データＳＤを変更する。具体的には、ＣＰＵ１７は、再生位置が現在の配信時間と比べて前の時間の配信データに対しては、チャプター番号との関連付けを解除する。そして、再生位置が現在の配信時間と比べて後の時間の配信データに対して、配信時間の昇順にチャプター番号との対応づけを行う。
例えば、コンテンツの配信から１０分経過後は、図８（ｂ）に示すように、チャプター番号ＣＨ０２には配信データＳＤ３が対応づけられる。
【００４４】
再生位置が配信時間に達している配信データＳＤが存在しなければ（ステップＳ５４：ＮＯ）、ＣＰＵ１７は、リスト画像データ２００の更新を行わない。
【００４５】
以下、図７に戻り、表示装置３０がリストの更新通知を受信可能であれば（ステップＳ６：ＹＥＳ）、ステップＳ７では、ＣＰＵ１７は、リスト更新通知をネットワーク通信部１６を介して表示装置３０に送信する。一方、表示装置３０がリストの更新通信を受信不可能であれば（ステップＳ６：ＮＯ）、ＣＰＵ１７は、リスト更新通知を行わない。
【００４６】
ＣＰＵ１７は、表示装置３０からチャプタージャンプ要求を受信しない場合（ステップＳ８：ＮＯ）、現在、配信している配信データの配信を継続する。例えば、表示装置３０から一度もチャプタージャンプ要求を受信していなければ、ＣＰＵ１７は、配信データＳＤ１の配信を継続する。
【００４７】
表示装置３０からチャプタージャンプ要求を受信した場合（ステップＳ８：ＹＥＳ）、ステップＳ９では、ＣＰＵ１７は、更新後のリスト画像データ２００にもとづいて、チャプター再生を行う。即ち、ＣＰＵ１７は、チャプタージャンプ要求で指定されたチャプター番号に対応する配信データＳＤを更新後のリスト画像データ２００をもとに読み出し、読み出した配信データを表示装置３０に配信する。図８（ｂ）に示す更新後のリスト画像２１０で、ユーザがチャプター番号ＣＨ０３を配信サーバ１０に指定すると、配信サーバ１０はネットワークＮＥを通じて配信データＳＤ３を配信する。そのため、コンテンツは配信データＳＤ３の開始位置（０：２０）から再生される。
【００４８】
このとき、ＣＰＵ１７は、ＨＤＤ２０から読み出した配信データＳＤに対して暗号化処理を行なうものであってもよい。また、表示装置３０からチャプター番号を戻すコマンドが送信された場合に、前回、移動前の再生位置に戻る構成としてもよい。
【００４９】
そして、コンテンツの現在の配信時間が総再生時間に達していなければ（ステップＳ１０：ＮＯ）、ステップＳ４に戻り、ＣＰＵ１７は処理を繰返す。そのため、配信時間が次の配信データの再生時間を経過時間に達するにともない、リスト画像データ２００のファイル（チャプター番号）に対応づけられる配信データの数が減少していく。
【００５０】
コンテンツの現在の配信時間が総再生時間に達していれば（ステップＳ１０：ＹＥＳ）、ＣＰＵ１７は処理を終了する。
【００５１】
以上、説明したように、この第１の実施形態では、コンテンツの現在の配信時間に応じて、チャプター番号に対応する配信データの再生位置が変更される。そのため、ユーザはチャプターの切り替えをコンテンツの現在の配信時間に応じてより効果的に利用することができ、操作の利便性を高めることができる。
【００５２】
２．第２の実施形態：
この第２の実施形態では、ホスト装置とクライアント装置との間で、専用のコマンドが設定されている構成が他の実施形態と比べて異なる。
【００５３】
図１０は、表示装置（クライアント装置）３０から配信サーバ（ホスト装置）１０に送信されるコマンドを説明する図である。図１０に示すコマンド４００は、メソッド４０１、リクエストＵＲＩ４０２を含んで構成されている。そして、このリクエストＵＲＩ４０２には、配信サーバと表示装置３０との間で取り決められたコマンドを示すアドレスが記録されている。
【００５４】
配信サーバ１０は、表示装置３０からコマンド４００を受信すると、リクエストＵＲＩ４０２を参照して、表示装置３０からの要求を解釈することができる。例えば、リクエストＵＲＩ４０２に、チャプター再生を要求するアドレスを指定することで、配信サーバ１０に第１の実施形態と同様の機能を実行させることができる。また、リクエストＵＲＩ４０２に倍速再生を指定した場合、配信サーバ１０はコンテンツのフレーム数を指定された倍速に応じて間引き、表示装置３０に送信する。
【００５５】
そのため、表示装置３０は、１つのコマンド構成を流用することで、チャプター再生以外の、モードの切り替えや、倍速再生、さらには、レジューム再生等を配信サーバ１０に要求することができる。また、クライアント装置からの要求をより柔軟に設定することができ、ユーザの操作性を向上することができる。
【００５６】
３．第３の実施形態：
配信サーバ１０によるリスト画像２１０の更新が行われるごとに、配信データＳＤが対応づけられないチャプター番号のアイコンを非表示とするものであってもよい。即ち、コンテンツの配信時間が進むと、デフォルトで表示されているチャプター番号の中には、配信データＳＤが関連付けられないものが発生する。そのため、このようなアイコン（チャプター番号）を更新のつど、消去することで、ユーザにチャプター番号を選択させ易くするものであってもよい。
【００５７】
４．その他の実施形態：
クライアント装置として表示装置をもとに説明をしたことは一例にすぎない。これ以外にも、クライアント装置は、スマートフォンやＰＣであってもよい。また、ホスト装置として配信サーバをもとに説明をしたことは一例にすぎない。これ以外にも、ホスト装置は、ネットワーク通信機能を備えたレコーダーや、ＰＣであってもよい。
【００５８】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００５９】
１０…配信サーバ、１１…配信制御部、１２…リスト送信部、１３…リスト更新部、１４…配信時間記録部、１５…送信部、１６…ネットワーク通信部、１７…ＣＰＵ、１８…ＲＡＭ、１９…ＲＯＭ、２０…ＨＤＤ、２１…バス、３０…表示装置、３１…リスト表示部、３２…コンテンツ再生部、３３…チャプター変化要求部、３４…ネットワーク通信部、３５…ＣＰＵ、３６…ＲＡＭ、３７…ＲＯＭ、３８…ディスプレイモジュール、３９…受信部、４０…バス、４１…リモコン装置、１００…システム、２００…リスト画像データ、２１０…リスト画像
【図１】
2015118722.tif 000003
【図２】
2015118722.tif 000004
【図３】
2015118722.tif 000005
【図４】
2015118722.tif 000006
【図５】
2015118722.tif 000007
【図６】
2015118722.tif 000008
【図７】
2015118722.tif 000009
【図８】
2015118722.tif 000010
【図９】
2015118722.tif 000011
【図１０】
2015118722.tif 000012